(57)【要約】【課題】  マイクロコンピュータの起動後の処理によって写真フイルムが無駄になることのないカメラを提供する【解決手段】  マイクロコンピュータ２１は、起動時に初起動検出信号（Ｇ１信号）を初起動検出回路５２に入力する。初起動検出回路５２には、マイクロコンピュータ２１の初めての起動後に溶断されるヒューズが組み込まれている。このヒューズが接続状態である場合には初起動検出回路５２からＬレベルの判定信号（Ｅ２信号）が出力され、ヒューズが溶断されている場合にはＨレベルのＥ２信号が出力される。マイクロコンピュータ２１は、Ｅ２信号のレベルから自身の起動が初めてか否かを判定し、初めての起動である場合にはフイルム給送機構１５に予備巻き処理を実施させ、２回目以降の起動である場合にはコマ送り処理を実施させる。【選択図】        図２
2005189418.tif 000002
【特許請求の範囲】
【請求項１】
パトローネ室に装填されたフイルムパトローネから写真フイルムを引き出してフイルムロール室の巻取軸に巻き付け、最初に撮影が行なわれるコマを撮影位置にセットするフイルムセット処理を行なうフイルム給送機構と、フイルム給送機構を制御してフイルムセット処理を実行させるマイクロコンピュータとを備えたカメラにおいて、
前記マイクロコンピュータの初めての起動を検出する初起動検出回路を設け、この初起動検出回路によってマイクロコンピュータの初めての起動が検出された際に、フイルム給送機構にフイルムセット処理を実行させることを特徴とするカメラ。
【請求項２】
前記マイクロコンピューターの２回目以降の起動時には、１コマ分の写真フイルムを巻き上げるコマ送り処理をフイルム給送機構に実行させることを特徴とする請求項１記載のカメラ。
【請求項３】
前記初起動検出回路は、マイクロコンピュータの初めての起動によって溶断されるヒューズを含むことを特徴とする請求項１又は２記載のカメラ。
【発明の詳細な説明】
【技術分野】
【０００１】
本発明は、カメラに関し、更に詳しくは、フイルム給送機構の制御にマイクロコンピュータを用いたカメラの改良に関するものである。
【背景技術】
【０００２】
パトローネ室に装填されたフイルムパトローネから写真フイルムを引き出し、フイルムロール室に巻き上げて最初に撮影が行なわれるコマを撮影位置にセットするフイルムセット処理と、撮影操作に連動して１コマ分の写真フイルムを自動的に巻き上げるコマ送り処理と、全てのコマへの撮影が終了した後に写真フイルムをパトローネ内に巻き戻すリワインド処理とを行なうフイルム給送機構を備えたカメラが知られている。また、フイルムセット処理として、フイルムパトローネから写真フイルムを全て引き出してフイルムロール室内に巻き上げ、最初に撮影が行われるコマを撮影位置にセットする予備巻き処理を行なう、いわゆるプレワインド方式のフイルム給送機構を備えたカメラも知られている。
【０００３】
現在販売されているカメラの多くは、フイルム給送機構や露出機構等の制御にマイクロコンピュータを使用している。マイクロコンピュータは、カメラの各所に設けられたスイッチやセンサー等からカメラの動作状態を把握し、新しいフイルムパトローネが装填された場合にはフイルムセット処理（予備巻き処置）を、１コマの撮影が完了した時にはコマ送り処理を、全ての写真フイルムへの撮影が終了した時にはリワインド処理をフイルム給送機構に実施させるようになっている。
【０００４】
マイクロコンピュータは、周知のように、演算処理を行なうＣＰＵや、プログラムや設定データを記憶するＲＯＭ，フイルム装填の有無や、撮影途中，撮影完了等の動作状態等が適宜記録されるＲＡＭ等からなる。カメラのマイクロコンピュータは、フイルム給送機構等と電源電池を供用している。バックアップ用の電池を有するカメラでは問題はないが、バックアップ用の電池を有しない安価なカメラでは、電池の交換時にマイクロコンピュータがリセットされてしまう。また、給送モータの駆動による電圧低下、電気的なノイズ等によってリセットされることもある。
【０００５】
マイクロコンピュータがリセットされるとＲＡＭ内の情報が失われるため、再起動後のカメラは現在の動作状態が不明となる。このように、動作状態が不明な状態で再起動した際に、何も動作を行なわないカメラや、予備巻き処理を行なうカメラ、リワインド処理を行なうカメラ、コマ送り処理を行なうカメラ等が従来発明されている（例えば、特許文献１参照）。
【０００６】
【特許文献１】特開平０５−３４１３６６号公報
【発明の開示】
【発明が解決しようとする課題】
【０００７】
しかしながら、再起動後に何もしないカメラでは、二重露光や、フイルム未装填との勘違いによる裏蓋の開放などが発生することがあった。また、再起動後に予備巻き処理を行なうカメラでは、先頭コマから再度撮影が行なわれるため、多数のコマにわたって二重露光が発生してしまう。
【０００８】
更に、プレワインド方式のカメラにおいて、フイルムパトローネの装填直後にマイクロコンピュータがリセットし、再起動後にリワインド処理やコマ送り処理が実行されると、未使用の写真フイルムが全てパトローネ内に巻き戻されて使用不能となる。特に、販売時の未使用カメラは、消耗を防ぐために電池が装填されていないため、カメラにフイルムパトローネ，電池の順に装填を行なうと、同様の問題が発生する。
【０００９】
本発明は、上記問題点を解決するためのもので、マイクロコンピュータの起動後の処理によって写真フイルムが無駄になることのないカメラを提供することを目的とする。
【課題を解決するための手段】
【００１０】
本発明のカメラは、上記問題点を解決するために、マイクロコンピュータの初めての起動を検出する初起動検出回路を設け、この初起動検出回路によってマイクロコンピュータの初めての起動が検出された際に、フイルム給送機構にフイルムセット処理を実行させるようにしたものである。
【００１１】
また、マイクロコンピューターの２回目以降の起動時には、１コマ分の写真フイルムを巻き上げるコマ送り処理をフイルム給送機構に実行させるようにしたものである。
【００１２】
更に、初起動検出回路に、マイクロコンピュータの初めての起動によって溶断されるヒューズを設けたものである。
【発明の効果】
【００１３】
本発明のカメラによれば、マイクロコンピュータの初めての起動を検出してフイルムセット処理を行なわせるようにしたので、未使用のカメラにフイルムパトローネ，電池の順に装填を行なっても、未使用の写真フイルムがパトローネ内に巻き込まれて使用不能になることはない。また、マイクロコンピュータの２回目以降の起動、すなわちリセット時には、コマ送り処理を実施するようにしたので、二重露光の発生を防止することができる。更に、マイクロコンピュータの初めての起動をヒューズの有無に接続状態によって検出するようにしたので、不揮発型メモリ等の高価な記憶素子を使用せずに、ローコストにマイクロコンピュータの最初の起動を検出することができる。
【発明を実施するための最良の形態】
【００１４】
図１及び図２は、本発明を実施したカメラの外観形状と要部構成とを示す斜視図及びブロック図である。カメラ２の前面及び上面には、撮影レンズ３，ファインダ対物窓４，ストロボ発光部５，ストロボ操作部材６，レンズバリア操作部材７，シャッタボタン８，充電完了表示窓１０，撮影枚数表示窓１１等が設けられている。また、カメラ２の一方の側面には、ロック操作部材１２と、巻戻し操作部材１３とが設けられている。カメラ２の背面には、パトローネ室を開閉する裏蓋１４が設けられている。
【００１５】
このカメラ２は、プレワインド方式のカメラであり、裏蓋１４を開放してパトローネ室にフイルムパトローネを装填し、再び裏蓋１４を閉じると、内蔵するフイルム給送機構１５が自動的に作動して予備巻き処理が実行される。フイルムセット処理である予備巻き処理では、パトローネ内の写真フイルムをフイルムロール室に全て巻き取り、最初に露光されるコマを撮影位置にセットする。また、撮影時には、シャッタボタン８を操作すると写真フイルムに露光を行なうレリーズ処理が実行され、その後にフイルム給送機構１５が自動的に作動してコマ送り処理が実行される。このコマ送り処理は、撮影済みの１コマをパトローネ内に巻き戻し、新しいコマを撮影位置にセットする。写真フイルムの全てのコマへの撮影が終了すると、やはりフイルム給送機構１５が自動的に作動し、写真フイルムを全てパトローネ内に巻き戻すリワインド処理が実行される。
【００１６】
シャッタボタン８は押圧操作される構造であり、押下された際に内蔵するシャッタ機構１７が作動して写真フイルムに露光が行なわれる。シャッタ機構１７は、撮影後の写真フイルムの１コマ送りを駆動源に用いてシャッタチャージを行ない、このシャッタチャージによって蓄えられたバネの付勢力を利用してシャッタ羽根を開閉する簡易なものが用いられている。
【００１７】
シャッタボタン８の下方には、シャッタボタン８の操作によってオンし、シャッタ信号（Ｓ１信号）を発信するシャッタスイッチ１９が組み込まれている。また、シャッタ機構１７内には、シャッタチャージ時にオンして、シャッタチャージ信号（ＳＨＣ信号）を発信するシャッタチャージスイッチ２０が設けられている。これらのスイッチから出力された信号は、カメラ２の全体を制御する制御手段であるマイクロコンピュータ２１に入力される。
【００１８】
ストロボ操作部材６は、図示するオフ位置と、その上方のオン位置との間でスライド操作される。ストロボ操作部材６の背後には、そのスライド操作によってオン／オフされるストロボスイッチ２３が組み込まれている。ストロボスイッチ２３がオンすると、内蔵するストロボ装置２４において充電動作が開始され、かつストロボ発光が許容される。また、オフ位置にすると充電動作が停止されてストロボ発光が禁止される。ストロボ装置２４には、シャッタ機構１７のシャッタレリーズ動作に連動してオンし、ストロボ発光部５を発光させるシンクロスイッチ２６が設けられている。
【００１９】
なお、マイクロコンピュータ２１は、電圧降下による不具合を防止するために、カメラの動作状態に応じてストロボ充電禁止信号（ＦＩＮＨ信号）をストロボ装置２４に入力する。ストロボ装置２４は、このＦＩＮＨ信号が入力されると、ストロボ操作部材６がオン位置にあっても充電動作を停止する。
【００２０】
カメラ２には、１３５タイプのフイルムパトローネが使用される。フイルムパトローネは、カメラ２の背面に設けられ、裏蓋１４により開閉されるパトローネ室に装填される。裏蓋１４は、カメラ２の背面に取り付けられており、パトローネ室を開放する開き位置と、密閉する閉じ位置との間で回動自在とされている。裏蓋１４は、カメラ２内に設けられたロック機構によって閉じ位置でロックされる。このロック機構は、上下方向でスライド自在とされたロック操作部材１２が、下方のロック位置から上方の解除位置にスライド操作された時に解除される。
【００２１】
カメラ２内のロック操作部材１２の近傍には、ロック操作部材１２の解除位置への操作によってオンして、裏蓋開放信号（ＳＢ信号）をマイクロコンピュータ２１に入力する裏蓋スイッチ２８が設けられている。マイクロコンピュータ２１は、ロック操作部材１２の操作によって裏蓋１４の開閉を検出する。なお、裏蓋スイッチ２８は、巻戻し操作部材１３の操作検出にも兼用される。巻戻し操作部材１３は、強制的にリワインド処理を実行させる際に使用され、押圧操作される構造を有している。巻戻し操作部材１３が押圧操作されると裏蓋スイッチ２８がオンし、ＳＢ信号がマイクロコンピュータ２１に入力される。
【００２２】
マイクロコンピュータ２１は、裏蓋スイッチ２８からＳＢ信号が入力された際に、その時のカメラ２の動作状態に基づいて、裏蓋１４が開閉されたのか、それとも巻戻し操作部材１３が操作されたのかを判断する。そして、その判断結果に応じて、フイルム給送機構１５に予備巻き処理又はリワインド処理，コマ送り処理のいずれかを実行させる。
【００２３】
フイルム給送機構１５は、パトローネ室内に設けられてフイルムパトローネのスプールに係合するフォークと、フイルムロール室内に設けられて外周に写真フイルムを巻き取る巻取軸と、給送モータ３０の回転をフォークまたは巻取軸に選択的に伝達するギア列等から構成されている。フイルム給送機構１５には、写真フイルムの給送状態を検出して１コマ送り完了信号（ＳＰＦ信号）を出力する給送検出スイッチ３４が設けられている。
【００２４】
給送モータ３０は、ドライバ回路３２によって駆動される。ドライバ回路３２には、マイクロコンピュータ２１から３種類のモータ駆動信号ＭＤ１〜ＭＤ３が入力されて制御される。ＭＤ１は、写真フイルムをパトローネ室からフイルムロール室へと給送（予備巻き処理）する方向に給送モータ３０を回転させる正転信号である。また、ＭＤ２は、写真フイルムをフイルムロール室からパトローネ室へと給送（リワインド処理及びコマ送り処理）する方向に給送モータ３０を回転させる逆転信号である。ＭＤ３は、回転中の給送モータ３０を停止させるブレーキ信号である。
【００２５】
周知のように、マイクロコンピュータ２１は、演算処理を行なうＣＰＵ２１ａと、このＣＰＵ２１ａを動作させるプログラムが記憶されたＲＯＭ２１ｂと、カメラ２の動作状態を表す状態データが適宜記憶されるＲＡＭ２１ｃとからなる。本実施形態で用いられるマイクロコンピュータ２１は、例えば、４ビットＣＰＵと数百バイト〜数キロバイト程度のＲＯＭ及びＲＡＭを内蔵した安価なものであり、カメラ２のコストに悪影響を及ぼすことはない。
【００２６】
マイクロコンピュータ２１と、前述したストロボ装置２４及び給送モータ３０とには、共通の電源電池４７によって電力が供給される。この電池４７としては、例えば２本の単４形乾電池等が用いられている。また、電源関係の電気部品として、電池４７の電圧が瞬間的に低下した時にマイクロコンピュータ２１への電源供給を補助するバックアップコンデンサ４８と、バックアップコンデンサ４８の電力がストロボ装置２４等で消費されるのを防止するダイオード４９等も設けられている。
【００２７】
ＲＡＭ２１ｃに記憶される状態データは、「初期状態」，「予備巻き中」，「コマ送り中」の３種類からなる。「初期状態」は、フイルムパトローネが未装填、又はフイルムパトローネが装填済みでリワインド処理が完了している状態を表す。また、電池４７の交換や、電池の出力電圧の低下、電気的なノイズの影響などによってマイクロコンピュータ２１がリセットされた時には、ＲＡＭ２１ｃ内の状態データは「初期状態」となる。
【００２８】
「予備巻き中」は、フイルムパトローネが装填済みで予備巻き処理の実行中であることを表す。また、「コマ送り中」は、フイルムパトローネが装填済みで撮影途中であることを表す。ＣＰＵ２１ａは、カメラ２の動作状態に応じてＲＡＭ２１ｃの状態データを適宜書き換え、かつ参照することで、現在のカメラ２の動作状態を確認し、次に実行すべき処理の決定に用いる。
【００２９】
また、カメラ２には、マイクロコンピュータ２１の初めての起動を検出する、初起動検出回路５２が設けられている。図３に示すように、初起動検出回路５２は、抵抗Ｒ１，Ｒ２，Ｒ３，Ｒ４と、ヒューズＦ１と、トランジスタＱ１とからなる。トランジスタＱ１のベースには、マイクロコンピュータ２１の起動時又はリセット時に、マイクロコンピュータ２１から初起動検出信号（Ｇ１信号）が入力される。また、抵抗Ｒ１，Ｒ２の間から出力される判定信号（Ｅ２信号）は、マイクロコンピュータ２１に入力される。
【００３０】
ヒューズＦ１は、カメラ２の未使用時には接続されているが、マイクロコンピュータ２１の初起動後に溶断される。そのため、未使用のカメラ２に電池４７が装填されてマイクロコンピュータ２１が初めて起動すると、Ｅ２信号はＬレベルとなる。また、マイクロコンピュータ２１の１回目以降の起動、すなわちマイクロコンピュータ２１のリセット時には、ヒューズＦ１は溶断されているためＥ２信号はＨレベルとなる。マイクロコンピュータ２１は、このＥ２信号のレベルを確認することによって、自身の起動が初めてか否かを判定することができる。
【００３１】
このように、安価で作用の単純なヒューズＦ１を使用したので、ＥＥＰＲＯＭ等の高価な不揮発性メモリを使用しなくても、マイクロコンピュータ２１の初めての起動を確実に検出することができる。また、初起動検出回路５２は、回路構成が簡単なので、製造コストも下げることができ、不良発生時の原因究明も容易となる。
【００３２】
次に、未使用のカメラ２に、始めて電池４７とフイルムパトローネとを装填した場合の作用について説明する。図４は、マイクロコンピュータ２１の初起動時又はリセット時に実施される初期処理の手順を示すフローチャートである。この初期処理では、各種Ｉ／Ｏポートのセットとともに、ＲＡＭ２１ｃの初期化が実施される。マイクロコンピュータ２１は、ＲＡＭ２１ｃの初期化時に、状態データとして「初期状態」をＲＡＭ２１ｃに記録する。
【００３３】
マイクロコンピュータ２１は、起動時にＧ１信号を初起動検出回路５２に入力する。ヒューズＦ１が接続状態にあるときにはＥ２信号はＬレベルとなり、ヒューズＦ１が溶断されている場合にはＥ２信号はＨレベルとなる。マイクロコンピュータ２１は、Ｅ２信号のレベルを判定し、Ｌレベルである場合にはマイクロコンピュータ２１が初めて起動されたと判定し、Ｅ２信号がＨレベルである場合には２回目以降の起動、すなわちリセットされたものと判定する。
【００３４】
マイクロコンピュータ２１の起動が初めての起動であった場合には、マイクロコンピュータ２１はＧ１信号をオンさせた状態で例えば１秒間待機し、ヒューズＦ１を過電流によって溶断させる。その後、Ｇ１信号をオフし、ＳＢ信号によって裏蓋１４及び巻戻し操作部材１３の状態を確認して、フイルム給送機構１５に予備巻き処理を実行させる。
【００３５】
例えば、販売時のカメラ２は、消耗を防ぐために電池が装填されていない。カメラ２に添付する説明書には、最初に電池４７を装填した上で、フイルムパトローネの装填を行なうことが記載されている。しかし、ユーザーによっては最初にフイルムパトローネを装填し、次に電池４７を装填する場合がある。初起動検出回路５２を有しない従来のカメラにおいて、未使用のカメラにフイルムパトローネ，電池の順に装填を行なうと、電池が装填された時点でリワインド処理やコマ送り処理が実行されて、未使用の写真フイルムが全てパトローネ内に巻き込まれてしまった。
【００３６】
しかしながら、本発明のカメラ２は、未使用時にフイルムパトローネ，電池４７の順に装填を行なっても、予備巻き処理が実施されるため、未使用のフイルムパトローネが使用不能になることはない。
【００３７】
また、マイクロコンピュータ２の起動が初めてではない場合、すなわちリセット状態である場合には、マイクロコンピュータ２１はＧ１信号をオフし、ＳＢ信号によって裏蓋１４及び巻戻し操作部材１３の状態を確認して、フイルム給送機構１５にコマ送り処理を実行させる。これにより、撮影位置に残っていた撮影済みか否かが不明なコマに撮影が行なわれることはないため、二重露光の発生を防止することができる。
【００３８】
なお、上記実施形態は、マイクロコンピュータのリセット時にコマ送り処理を行なうようにしたが、次のレリーズ処理の後にコマ送り処理を行なうようにすることもできる。また、最初に写真フイルムを全て巻き上げるプレワインド方式のカメラを例に説明したが、本発明は撮影毎に写真フイルムを巻き上げるワインド方式のカメラにも適用することができる。また、ＡＰＳ方式のフイルムカートリッジを使用するカメラにも利用することができる。
【図面の簡単な説明】
【００３９】
【図１】本発明を実施したカメラの外観形状を示す斜視図である。
【図２】カメラの要部構成を示すブロック図である。
【図３】初起動検出回路の構成を示す回路図である。
【図４】初期処理の手順を示すフローチャートである。
【符号の説明】
【００４０】
２    カメラ
１５  フイルム給送機構
２１  マイクロコンピュータ
４７  電池
５２  初起動検出回路
Ｆ１  ヒューズ
【図１】
2005189418.tif 000003
【図２】
2005189418.tif 000004
【図３】
2005189418.tif 000005
【図４】
2005189418.tif 000006